(57)【要約】【課題】設計自由度を高めるとともに小型化を図ることが可能なテレビ受信装置を提供する。【解決手段】テレビ受信装置１００は、放送信号を受信し、受信した放送信号をＩＦ信号またはベースバンド信号に周波数変換して出力する第１のチューナ部１Ａと、第１のチューナ部１Ａから受けた信号を復調してデジタル信号を出力する第１のデジタル復調回路１１Ａと、筐体Ｋと、第１の入力端子Ｔ１と、第１の入力端子Ｔ１に入力された信号を復調してデジタル信号を出力する第２のデジタル復調回路１２Ａとを備え、第１のチューナ部１Ａ、第１のデジタル復調回路１１Ａおよび第２のデジタル復調回路１２Ａは、筐体Ｋに収納され、第１の入力端子Ｔ１は、筐体Ｋに取り付けられる。【選択図】図１
2008028603.tif 000002
【特許請求の範囲】
【請求項１】
放送信号を受信し、前記受信した放送信号をＩＦ信号またはベースバンド信号に周波数変換して出力する第１のチューナ部と、
前記第１のチューナ部から受けた信号を復調してデジタル信号を出力する第１のデジタル復調回路と、
筐体と、
第１の入力端子と、
前記第１の入力端子に入力された信号を復調してデジタル信号を出力する第２のデジタル復調回路とを備え、
前記第１のチューナ部、前記第１のデジタル復調回路および前記第２のデジタル復調回路は、前記筐体に収納され、
前記第１の入力端子は、前記筐体に取り付けられるテレビ受信装置。
【請求項２】
前記テレビ受信装置は、さらに、
放送信号を受信し、受信した放送信号をＩＦ信号またはベースバンド信号に周波数変換して前記第１の入力端子に出力する第２のチューナ部を備え、
前記第２のチューナ部は、前記筐体の外部に配置される請求項１記載のテレビ受信装置。
【請求項３】
前記第１のチューナ部は、地上波デジタル放送信号を受信し、前記受信した地上波デジタル放送信号をＩＦ信号に周波数変換して出力し、
前記第１のデジタル復調回路は、前記第１のチューナ部から受けたＩＦ信号をＯＦＤＭ復調およびＱＡＭ復調してデジタル信号を出力し、
前記第１の入力端子には、衛星デジタル放送信号が周波数変換されたベースバンド信号が入力され、
前記第２のデジタル復調回路は、前記第１の入力端子に入力されたベースバンド信号をＰＳＫ復調してデジタル信号を出力する請求項１記載のテレビ受信装置。
【請求項４】
前記第１のチューナ部は、衛星デジタル放送信号を受信し、前記受信した衛星デジタル放送信号をベースバンド信号に周波数変換して出力し、
前記第１のデジタル復調回路は、前記第１のチューナ部から受けたベースバンド信号をＰＳＫ復調してデジタル信号を出力し、
前記第１の入力端子には、地上波デジタル放送信号が周波数変換されたＩＦ信号が入力され、
前記第２のデジタル復調回路は、前記第１の入力端子に入力されたＩＦ信号をＯＦＤＭ復調およびＱＡＭ復調してデジタル信号を出力する請求項１記載のテレビ受信装置。
【請求項５】
前記第１のチューナ部は、地上波デジタル放送信号を受信し、前記受信した地上波デジタル放送信号をＩＦ信号に周波数変換して出力し、
前記テレビ受信装置は、さらに、
前記筐体に収納され、地上波アナログ放送信号を受信し、前記受信した地上波アナログ放送信号をＩＦ信号に周波数変換して出力するアナログチューナ部を備える請求項１記載のテレビ受信装置。
【請求項６】
前記テレビ受信装置は、さらに、
前記筐体に収納され、前記アナログチューナ部から受けたＩＦ信号を復調して映像信号および音声信号を出力するアナログ復調回路を備える請求項５記載のテレビ受信装置。
【請求項７】
前記第１のチューナ部および前記アナログチューナ部は、集積回路で形成される請求項５に記載のテレビ受信装置。
【請求項８】
前記第１のチューナ部は、地上波デジタル放送信号を受信し、前記受信した地上波デジタル放送信号を周波数変換およびＯＦＤＭ復調してベースバンド信号を生成し、
前記第１のデジタル復調回路は、前記第１のチューナ部から受けたベースバンド信号をＱＡＭ復調してデジタル信号を出力し、
前記第１の入力端子には、衛星デジタル放送信号が周波数変換されたベースバンド信号が入力され、
前記第２のデジタル復調回路は、前記第１の入力端子に入力されたベースバンド信号をＰＳＫ復調してデジタル信号を出力する請求項１記載のテレビ受信装置。
【請求項９】
前記第１のチューナ部は、地上波デジタル放送信号を受信し、前記受信した地上波デジタル放送信号をＩＦ信号に周波数変換して出力し、
前記第１のデジタル復調回路は、前記第１のチューナ部から受けたＩＦ信号をＯＦＤＭ復調およびＱＡＭ復調してデジタル信号を出力し、
前記第１の入力端子には、地上波デジタル放送信号が周波数変換されたＩＦ信号が入力され、
前記第２のデジタル復調回路は、前記第１の入力端子に入力されたＩＦ信号をＯＦＤＭ復調およびＱＡＭ復調してデジタル信号を出力する請求項１記載のテレビ受信装置。
【請求項１０】
前記第１のチューナ部は、衛星デジタル放送信号を受信し、前記受信した衛星デジタル放送信号をベースバンド信号に周波数変換して出力し、
前記第１のデジタル復調回路は、前記第１のチューナ部から受けたベースバンド信号をＰＳＫ復調してデジタル信号を出力し、
前記第１の入力端子には、衛星デジタル放送信号が周波数変換されたベースバンド信号が入力され、
前記第２のデジタル復調回路は、前記第１の入力端子に入力されたベースバンド信号をＰＳＫ復調してデジタル信号を出力する請求項１記載のテレビ受信装置。
【請求項１１】
前記第１のチューナ部は、地上波デジタル放送信号を受信し、前記受信した地上波デジタル放送信号をＩＦ信号に周波数変換して出力し、
前記第１のデジタル復調回路は、前記第１のチューナ部から受けたＩＦ信号をＯＦＤＭ復調およびＱＡＭ復調してデジタル信号を出力し、
前記第１の入力端子には、地上波デジタル放送信号が周波数変換されたＩＦ信号が入力され、
前記第２のデジタル復調回路は、前記第１の入力端子に入力されたＩＦ信号をＯＦＤＭ復調およびＱＡＭ復調してデジタル信号を出力し、
前記テレビ受信装置は、さらに、
衛星デジタル放送信号が周波数変換されたベースバンド信号が入力される第２の入力端子と、
衛星デジタル放送信号が周波数変換されたベースバンド信号が入力される第３の入力端子と、
前記第２の入力端子に入力されたベースバンド信号をＰＳＫ復調してデジタル信号を出力する前記第３のデジタル復調回路と、
前記第３の入力端子に入力されたベースバンド信号をＰＳＫ復調してデジタル信号を出力する前記第４のデジタル復調回路とを備える請求項１記載のテレビ受信装置。
【請求項１２】
前記第１のチューナ部は、衛星デジタル放送信号を受信し、前記受信した衛星デジタル放送信号をベースバンド信号に周波数変換して出力し、
前記第１のデジタル復調回路は、前記第１のチューナ部から受けたベースバンド信号をＰＳＫ復調してデジタル信号を出力し、
前記第１の入力端子には、衛星デジタル放送信号が周波数変換されたベースバンド信号が入力され、
前記第２のデジタル復調回路は、前記第１の入力端子に入力されたベースバンド信号をＰＳＫ復調してデジタル信号を出力し、
前記テレビ受信装置は、さらに、
地上波デジタル放送信号が周波数変換されたＩＦ信号が入力される第２の入力端子と、
地上波デジタル放送信号が周波数変換されたＩＦ信号が入力される第３の入力端子と、
前記第２の入力端子に入力されたＩＦ信号をＯＦＤＭ復調およびＱＡＭ復調してデジタル信号を出力する前記第３のデジタル復調回路と、
前記第３の入力端子に入力されたＩＦ信号をＯＦＤＭ復調およびＱＡＭ復調してデジタル信号を出力する前記第４のデジタル復調回路とを備える請求項１記載のテレビ受信装置。
【請求項１３】
前記第１のチューナ部は、集積回路で形成される請求項１から４、８から１２のいずれかに記載のテレビ受信装置。
【請求項１４】
前記テレビ受信装置は、さらに、
前記筐体に取り付けられ、前記放送信号が入力されるＲＦ入力端子と、
前記筐体に取り付けられ、前記ＲＦ入力端子に入力された前記放送信号が出力されるＲＦ出力端子とを備える請求項１から１２のいずれかに記載のテレビ受信装置。
【請求項１５】
前記テレビ受信装置は、さらに、
前記デジタル復調回路から受けたデジタル信号をＭＰＥＧ復号処理するＭＰＥＧデコーダを備える請求項１から１２のいずれかに記載のテレビ受信装置。
【発明の詳細な説明】
【技術分野】
【０００１】
本発明は、テレビ受信装置に関し、特に地上波デジタル放送ならびにＢＳ(Broadcasting Satellite)デジタル放送およびＣＳ(Communication Satellite)デジタル放送を受信可能なデジタル復調器内蔵フロントエンドを含むテレビ受信装置に関する。
【背景技術】
【０００２】
地上波デジタル放送の受信装置は、フロントエンド部と、バックエンド部とを備える。フロントエンド部は、地上波デジタル放送信号を受信し、受信した地上波デジタル放送信号をＩＦ信号に周波数変換する地上波デジタルチューナ部と、ＩＦ信号をＯＦＤＭ（Orthogonal Frequency Division Multiplex）復調およびＱＡＭ（Quadrature Amplitude Modulation）復調することによってＴＳ（Transport Stream）信号に変換するデジタル復調部とを含む。バックエンド部は、ＴＳ信号をデコードして映像信号、音声信号およびデータを出力する。
【０００３】
また、衛星デジタル放送の受信装置は、フロントエンド部と、バックエンド部とを備える。フロントエンド部は、衛星デジタル放送信号すなわちＢＳデジタル放送信号およびＣＳデジタル放送信号を受信し、受信した衛星デジタル放送信号をベースバンド信号に周波数変換する衛星デジタルチューナ部と、ベースバンド信号をＰＳＫ(Phase Sift Keying)復調することによってＴＳ信号に変換するデジタル復調部とを含む。バックエンド部は、ＴＳ信号をデコードして映像信号、音声信号およびデータを出力する。
【０００４】
たとえば、特許文献１および２には、このような地上波デジタル放送信号および衛星デジタル放送信号を受信する装置が開示されている。
【０００５】
現在、ＯＦＤＭ復調を行なうデジタル復調部とＰＳＫ復調を行なうデジタル復調部とが同一ウェハに集積化された複合型デジタル復調ＩＣ（Integrated Circuit）の登場により、地上波デジタルチューナ部と衛星デジタルチューナ部とが同一筐体内に収納された地上波／衛星デジタル複合型チューナが開発されている。さらに、地上波デジタルチューナ部、衛星デジタルチューナ部および複合型デジタル復調ＩＣが同一筐体内に収納された地上波／衛星デジタル復調一体型複合フロントエンド（以下、複合フロントエンド部とも称する。）が開発されている。
【０００６】
この複合フロントエンド部により、従来は地上波デジタル放送受信用のチューナの筐体と、衛星デジタル放送受信用のチューナの筐体とで構成されていたフロントエンド部が、１個の筐体に収まる。このような構成により、省スペース化が図られ、テレビ受信装置の小型化および簡略化に寄与している。
【特許文献１】特開２００２−１３５６６８号公報
【特許文献２】特開２００２−２４７４６１号公報
【発明の開示】
【発明が解決しようとする課題】
【０００７】
ところで、複合フロントエンド部では、複合型デジタル復調ＩＣよりも地上波デジタルチューナ部および衛星デジタルチューナ部の方がフロントエンド部の大きさに対して支配的である。そして、複合フロントエンド部は、地上波デジタルチューナ部および衛星デジタルチューナ部が１個の筐体に収納されているため、テレビ受信装置における基板に対して筐体が縦に置かれる場合はテレビ受信装置の高さ方向のサイズが大きくなり、また、テレビ受信装置における基板に対して筐体が横に置かれる場合は基板に対する占有面積が大きくなってしまう。したがって、複合フロントエンド部を備えるテレビ受信装置では、デジタル復調部の小型化が図られているにも関わらず、テレビ受信装置全体の小型化を図ることが困難であるという問題点があった。
【０００８】
また、たとえば録画装置では、デジタル放送信号を２分配して一方の信号を外部へスルー出力する機能を有するフロントエンド部を設計する必要がある。この場合、フロントエンド部に、地上波デジタル放送信号および衛星デジタル放送信号をスルー出力するためのＲＦ出力端子をそれぞれ設ける構成が考えられる。しかしながら、このような構成では、デジタル放送信号用のＲＦ入力端子およびＲＦ出力端子が合計４個必要となるため、フロントエンド部の縦方向または横方向のサイズが大きくなり、テレビ受信装置の小型化を図ることが困難となる。
【０００９】
また、デジタル放送信号を２分配して一方の信号を外部へスルー出力する機能を有するフロントエンド部を設計する場合、フロントエンド部における前段部分に受信信号を分配するスプリッターを設ける構成も考えられる。しかしながら、このような構成では、スプリッターを設置する分だけフロントエンド部が大きくなり、テレビ受信装置の小型化を図ることが困難となる。したがって、複合フロントエンド部を備えるテレビ受信装置では、デジタル放送信号を外部へスルー出力する機能等、応用機能への対応に小型化の観点から制限が生じてしまうという問題点があった。
【００１０】
それゆえに、本発明の目的は、設計自由度を高めるとともに小型化を図ることが可能なテレビ受信装置を提供することである。
【課題を解決するための手段】
【００１１】
上記課題を解決するために、この発明のある局面に係わるテレビ受信装置は、放送信号を受信し、受信した放送信号をＩＦ信号またはベースバンド信号に周波数変換して出力する第１のチューナ部と、第１のチューナ部から受けた信号を復調してデジタル信号を出力する第１のデジタル復調回路と、筐体と、第１の入力端子と、第１の入力端子に入力された信号を復調してデジタル信号を出力する第２のデジタル復調回路とを備え、第１のチューナ部、第１のデジタル復調回路および第２のデジタル復調回路は、筐体に収納され、第１の入力端子は、筐体に取り付けられる。
【００１２】
好ましくは、テレビ受信装置は、さらに、放送信号を受信し、受信した放送信号をＩＦ信号またはベースバンド信号に周波数変換して第１の入力端子に出力する第２のチューナ部を備え、第２のチューナ部は、筐体の外部に配置される。
【００１３】
好ましくは、第１のチューナ部は、地上波デジタル放送信号を受信し、受信した地上波デジタル放送信号をＩＦ信号に周波数変換して出力し、第１のデジタル復調回路は、第１のチューナ部から受けたＩＦ信号をＯＦＤＭ復調およびＱＡＭ復調してデジタル信号を出力し、第１の入力端子には、衛星デジタル放送信号が周波数変換されたベースバンド信号が入力され、第２のデジタル復調回路は、第１の入力端子に入力されたベースバンド信号をＰＳＫ復調してデジタル信号を出力する。
【００１４】
好ましくは、第１のチューナ部は、衛星デジタル放送信号を受信し、受信した衛星デジタル放送信号をベースバンド信号に周波数変換して出力し、第１のデジタル復調回路は、第１のチューナ部から受けたベースバンド信号をＰＳＫ復調してデジタル信号を出力し、第１の入力端子には、地上波デジタル放送信号が周波数変換されたＩＦ信号が入力され、第２のデジタル復調回路は、第１の入力端子に入力されたＩＦ信号をＯＦＤＭ復調およびＱＡＭ復調してデジタル信号を出力する。
【００１５】
好ましくは、第１のチューナ部は、地上波デジタル放送信号を受信し、受信した地上波デジタル放送信号をＩＦ信号に周波数変換して出力し、テレビ受信装置は、さらに、筐体に収納され、地上波アナログ放送信号を受信し、受信した地上波アナログ放送信号をＩＦ信号に周波数変換して出力するアナログチューナ部を備える。
【００１６】
より好ましくは、テレビ受信装置は、さらに、筐体に収納され、アナログチューナ部から受けたＩＦ信号を復調して映像信号および音声信号を出力するアナログ復調回路を備える。
【００１７】
より好ましくは、第１のチューナ部およびアナログチューナ部は、集積回路で形成される。
【００１８】
好ましくは、第１のチューナ部は、地上波デジタル放送信号を受信し、受信した地上波デジタル放送信号を周波数変換およびＯＦＤＭ復調してベースバンド信号を生成し、第１のデジタル復調回路は、第１のチューナ部から受けたベースバンド信号をＱＡＭ復調してデジタル信号を出力し、第１の入力端子には、衛星デジタル放送信号が周波数変換されたベースバンド信号が入力され、第２のデジタル復調回路は、第１の入力端子に入力されたベースバンド信号をＰＳＫ復調してデジタル信号を出力する。
【００１９】
好ましくは、第１のチューナ部は、地上波デジタル放送信号を受信し、受信した地上波デジタル放送信号をＩＦ信号に周波数変換して出力し、第１のデジタル復調回路は、第１のチューナ部から受けたＩＦ信号をＯＦＤＭ復調およびＱＡＭ復調してデジタル信号を出力し、第１の入力端子には、地上波デジタル放送信号が周波数変換されたＩＦ信号が入力され、第２のデジタル復調回路は、第１の入力端子に入力されたＩＦ信号をＯＦＤＭ復調およびＱＡＭ復調してデジタル信号を出力する。
【００２０】
好ましくは、第１のチューナ部は、衛星デジタル放送信号を受信し、受信した衛星デジタル放送信号をベースバンド信号に周波数変換して出力し、第１のデジタル復調回路は、第１のチューナ部から受けたベースバンド信号をＰＳＫ復調してデジタル信号を出力し、第１の入力端子には、衛星デジタル放送信号が周波数変換されたベースバンド信号が入力され、第２のデジタル復調回路は、第１の入力端子に入力されたベースバンド信号をＰＳＫ復調してデジタル信号を出力する。
【００２１】
好ましくは、第１のチューナ部は、地上波デジタル放送信号を受信し、受信した地上波デジタル放送信号をＩＦ信号に周波数変換して出力し、第１のデジタル復調回路は、第１のチューナ部から受けたＩＦ信号をＯＦＤＭ復調およびＱＡＭ復調してデジタル信号を出力し、第１の入力端子には、地上波デジタル放送信号が周波数変換されたＩＦ信号が入力され、第２のデジタル復調回路は、第１の入力端子に入力されたＩＦ信号をＯＦＤＭ復調およびＱＡＭ復調してデジタル信号を出力し、テレビ受信装置は、さらに、衛星デジタル放送信号が周波数変換されたベースバンド信号が入力される第２の入力端子と、衛星デジタル放送信号が周波数変換されたベースバンド信号が入力される第３の入力端子と、第２の入力端子に入力されたベースバンド信号をＰＳＫ復調してデジタル信号を出力する第３のデジタル復調回路と、第３の入力端子に入力されたベースバンド信号をＰＳＫ復調してデジタル信号を出力する第４のデジタル復調回路とを備える。
【００２２】
好ましくは、第１のチューナ部は、衛星デジタル放送信号を受信し、受信した衛星デジタル放送信号をベースバンド信号に周波数変換して出力し、第１のデジタル復調回路は、第１のチューナ部から受けたベースバンド信号をＰＳＫ復調してデジタル信号を出力し、第１の入力端子には、衛星デジタル放送信号が周波数変換されたベースバンド信号が入力され、第２のデジタル復調回路は、第１の入力端子に入力されたベースバンド信号をＰＳＫ復調してデジタル信号を出力し、テレビ受信装置は、さらに、地上波デジタル放送信号が周波数変換されたＩＦ信号が入力される第２の入力端子と、地上波デジタル放送信号が周波数変換されたＩＦ信号が入力される第３の入力端子と、第２の入力端子に入力されたＩＦ信号をＯＦＤＭ復調およびＱＡＭ復調してデジタル信号を出力する第３のデジタル復調回路と、第３の入力端子に入力されたＩＦ信号をＯＦＤＭ復調およびＱＡＭ復調してデジタル信号を出力する第４のデジタル復調回路とを備える。
【００２３】
好ましくは、第１のチューナ部は、集積回路で形成される。
好ましくは、テレビ受信装置は、さらに、筐体に取り付けられ、放送信号が入力されるＲＦ入力端子と、筐体に取り付けられ、ＲＦ入力端子に入力された放送信号が出力されるＲＦ出力端子とを備える。
【００２４】
好ましくは、テレビ受信装置は、さらに、デジタル復調回路から受けたデジタル信号をＭＰＥＧ復号処理するＭＰＥＧデコーダを備える。
【発明の効果】
【００２５】
本発明によれば、設計自由度を高めるとともに小型化を図ることができる。
【発明を実施するための最良の形態】
【００２６】
以下、本発明の実施の形態について図面を用いて説明する。なお、図中同一または相当部分には同一符号を付してその説明は繰り返さない。
【００２７】
＜第１の実施の形態＞
［構成および基本動作］
図１は、本発明の第１の実施の形態に係るテレビ受信装置の構成を示す機能ブロック図である。
【００２８】
図１を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、地上波デジタルチューナ部（第１のチューナ部）１Ａと、たとえば複合型デジタル復調ＩＣであるデジタル復調部５１Ａと、衛星デジタルチューナ部（第２のチューナ部）２Ａとを備える。デジタル復調部５１Ａは、ＯＦＤＭ／ＱＡＭ復調回路（第１のデジタル復調回路）１１Ａと、ＰＳＫ復調回路（第２のデジタル復調回路）１２Ａとを含む。地上波デジタルチューナ部１Ａと、デジタル復調部５１Ａとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、衛星デジタルチューナ部２Ａの筐体に取り付けられる。
【００２９】
地上波デジタルチューナ部１Ａは、ＲＦ（Radio Frequency）信号である地上波デジタル放送信号をＲＦ入力端子Ｔ５１において受信し、受信した地上波デジタル放送信号のうち、選局すべきチャネルに対応する周波数帯の信号を選択し、選択した信号をＩＦ信号に周波数変換する。
【００３０】
ここで、地上波デジタルチューナ部１Ａは、たとえば集積回路で形成されるいわゆるシリコンチューナである。このような構成により、地上波デジタルチューナ部１Ａのサイズを大幅に縮小することができ、テレビ受信装置の小型化および薄型化を図ることができる。
【００３１】
ＯＦＤＭ／ＱＡＭ復調回路１１Ａは、地上波デジタルチューナ部１Ａから受けたＩＦ信号をＯＦＤＭ復調およびＱＡＭ復調してＴＳ信号に変換する。
【００３２】
図示しないバックエンド部は、ＴＳ信号をデコードし、映像信号、音声信号およびデータを出力する。
【００３３】
衛星デジタルチューナ部２Ａは、ＲＦ信号である衛星デジタル放送信号をＲＦ入力端子Ｔ５２において受信し、受信した衛星デジタル放送信号のうち、選局すべきチャネルに対応する周波数帯の信号を選択する。また、衛星デジタルチューナ部２Ａに含まれる図示しないＩ／Ｑ直交検波器は、選択された信号を互いに９０度の位相差を有するＩ信号およびＱ信号の２個のベースバンド信号にダイレクトコンバート（周波数変換）する。衛星デジタルチューナ部２Ａから出力されたＩ信号およびＱ信号は、入力端子Ｔ１に入力される。
【００３４】
ＰＳＫ復調回路１２Ａは、入力端子Ｔ１に入力された衛星デジタルチューナ部２ＡからのＩ信号およびＱ信号をＱＰＳＫ(Phase Sift Keying)復調または８ＰＳＫ復調してＴＳ信号に変換する。
【００３５】
ＲＦ入力端子Ｔ５１において受信された地上波デジタル放送信号は、分岐されてＲＦ出力端子Ｔ６１から出力される。ＲＦ入力端子Ｔ５２において受信された衛星デジタル放送信号は、分岐されてＲＦ出力端子Ｔ６２から出力される。
【００３６】
地上波デジタルチューナ部１Ａと、デジタル復調部５１Ａと、衛星デジタルチューナ部２Ａには、図示しない装置から電源が供給され、また、バスを介して制御信号等が入出力される。
【００３７】
図２は、地上波デジタル放送信号および衛星デジタル放送信号をスルー出力するためのＲＦ出力端子が設けられた複合フロントエンド部がテレビ受信装置の基板に縦置きされた状態を示す外観図である。
【００３８】
図２を参照して、複合フロントエンド部７１には、地上波デジタル放送信号が入力されるＲＦ入力端子Ｔ５１と、衛星デジタル放送信号が入力されるＲＦ入力端子Ｔ５２と、地上波デジタル放送信号が出力されるＲＦ出力端子Ｔ６１と、衛星デジタル放送信号が出力されるＲＦ出力端子Ｔ６２とが取り付けられる。
【００３９】
地上波デジタル放送信号および衛星デジタル放送信号をスルー出力する機能に対応する複合フロントエンド部を備えるテレビ受信装置においては、複合フロントエンド部７１に取り付けられるデジタル放送信号のＲＦ入力端子およびＲＦ出力端子が合計４個必要となるため、複合フロントエンド部７１がテレビ受信装置の基板Ｂに縦置きされる場合、テレビ受信装置の縦方向のサイズが大きくなる。また、複合フロントエンド部７１がテレビ受信装置の基板Ｂに横置きされる場合はテレビ受信装置における基板Ｂに対する占有面積が大きくなる。したがって、複合フロントエンド部を備えるテレビ受信装置では、デジタル放送信号を外部へスルー出力する機能等、応用機能への対応に小型化の観点から制限が生じてしまうという問題点がある。
【００４０】
図３は、本発明の第１の実施の形態に係るテレビ受信装置の外観図である。
図３を参照して、地上波デジタルチューナ部１Ａが収納される筐体Ｋには、地上波デジタル放送信号が入力されるＲＦ入力端子Ｔ５１と、地上波デジタル放送信号が出力されるＲＦ出力端子Ｔ６１とが取り付けられる。衛星デジタルチューナ部２Ａの筐体には、衛星デジタル放送信号が入力されるＲＦ入力端子Ｔ５２と、衛星デジタル放送信号が出力されるＲＦ出力端子Ｔ６２とが取り付けられる。
【００４１】
ところで、複合フロントエンド部を備えるテレビ受信装置では、デジタル放送信号を外部へスルー出力する機能等、応用機能への対応に小型化の観点から制限が生じてしまうという問題点があった。しかしながら、本発明の第１の実施の形態に係るテレビ受信装置では、地上波デジタルチューナ部１Ａと、デジタル復調部５１Ａとは、筐体Ｋに収納される。衛星デジタルチューナ部２Ａは、筐体Ｋの外部に配置される。このような構成により、デジタル放送信号をスルー出力するためのＲＦ出力端子をデジタルチューナ部に追加することの、テレビ受信装置全体のサイズに対する影響を低減することができる。したがって、本発明の第１の実施の形態に係るテレビ受信装置では、応用機能への対応によるテレビ受信装置全体のサイズへの影響を低減することができる。
【００４２】
また、複合フロントエンド部を備えるテレビ受信装置では、デジタル復調部の小型化が図られているにも関わらず、テレビ受信装置全体の小型化を図ることが困難であるという問題点があった。しかしながら、本発明の第１の実施の形態に係るテレビ受信装置では、地上波デジタルチューナ部１Ａおよび衛星デジタルチューナ部２Ａが別の筐体に収納されている。このような構成により、フロントエンド部のサイズに対する地上波デジタルチューナ部１Ａのサイズの影響、および衛星デジタルチューナ部２Ａのサイズの影響が低減され、デジタル復調部の小型化によるテレビ受信装置全体の小型化という効果が、デジタルチューナ部のサイズによって阻害されることを防ぐことができる。
【００４３】
したがって、本発明の第１の実施の形態に係るテレビ受信装置では、設計自由度を高めるとともに小型化を図ることができる。
【００４４】
なお、本発明の第１の実施の形態に係るテレビ受信装置では、筐体Ｋの外部に配置される衛星デジタルチューナ部２Ａを備える構成であるとしたが、これに限定するものではない。テレビ受信装置１００が衛星デジタルチューナ部２Ａを備えず、入力端子１にはテレビ受信装置１００の外部に存在する衛星デジタルチューナ部２Ａが出力した信号が入力される構成であってもよい。このような構成により、衛星放送用のチューナの選定範囲を広げるとともに、フロントエンド部の設計自由度を高めることができる。
【００４５】
次に、本発明の他の実施の形態について図面を用いて説明する。なお、図中同一または相当部分には同一符号を付してその説明は繰り返さない。
【００４６】
＜第２の実施の形態＞
本実施の形態は、第１の実施の形態に係るテレビ受信装置に対して放送信号の対応関係を逆にしたテレビ受信装置に関する。
【００４７】
図４は、本発明の第２の実施の形態に係るテレビ受信装置の構成を示す機能ブロック図である。
【００４８】
図４を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、衛星デジタルチューナ部（第１のチューナ部）１Ｂと、たとえば複合型デジタル復調ＩＣであるデジタル復調部５１Ｂと、地上波デジタルチューナ部２Ｂとを備える。デジタル復調部５１Ｂは、ＰＳＫ復調回路（第１のデジタル復調回路）１１Ｂと、ＯＦＤＭ／ＱＡＭ復調回路（第２のデジタル復調回路）１２Ｂとを含む。衛星デジタルチューナ部１Ｂと、デジタル復調部５１Ｂとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、地上波デジタルチューナ部２Ｂの筐体に取り付けられる。
【００４９】
衛星デジタルチューナ部１Ｂは、ＲＦ信号である衛星デジタル放送信号をＲＦ入力端子Ｔ５１において受信し、受信した衛星デジタル放送信号のうち、選局すべきチャネルに対応する周波数帯の信号を選択する。また、衛星デジタルチューナ部１Ｂに含まれる図示しないＩ／Ｑ直交検波器は、選択された信号を互いに９０度の位相差を有するＩ信号およびＱ信号の２個のベースバンド信号にダイレクトコンバート（周波数変換）する。
【００５０】
ＰＳＫ復調回路１２Ｂは、衛星デジタルチューナ部１Ｂから受けたＩ信号およびＱ信号をＱＰＳＫ(Phase Sift Keying)復調または８ＰＳＫ復調してＴＳ信号に変換する。
【００５１】
地上波デジタルチューナ部２Ｂは、ＲＦ（Radio Frequency）信号である地上波デジタル放送信号をＲＦ入力端子Ｔ５２において受信し、受信した地上波デジタル放送信号のうち、選局すべきチャネルに対応する周波数帯の信号を選択し、選択した信号をＩＦ信号に周波数変換する。地上波デジタルチューナ部２Ｂから出力されたＩＦ信号は、入力端子Ｔ１に入力される。
【００５２】
ＯＦＤＭ／ＱＡＭ復調回路１２は、入力端子Ｔ１に入力された地上波デジタルチューナ部２ＢからのＩＦ信号をＯＦＤＭ復調およびＱＡＭ復調してＴＳ信号に変換する。
【００５３】
ＲＦ入力端子Ｔ５１において受信された衛星デジタル放送信号は、分岐されてＲＦ出力端子Ｔ６１から出力される。ＲＦ入力端子Ｔ５２において受信された地上波デジタル放送信号は、分岐されてＲＦ出力端子Ｔ６２から出力される。
【００５４】
ここで、現在、地上波デジタルチューナ部と比べて衛星デジタルチューナ部は小型化が進んでいる。したがって、本発明の第２の実施の形態に係るテレビ受信装置では、本発明の第１の実施の形態に係るテレビ受信装置と比べてテレビ受信装置の小型化をさらに図ることができる。
【００５５】
その他の構成および動作は本発明の第１の実施の形態に係るテレビ受信装置と同様である。したがって、本発明の第２の実施の形態に係るテレビ受信装置では、設計自由度を高めるとともに小型化を図ることができる。
【００５６】
次に、本発明の他の実施の形態について図面を用いて説明する。なお、図中同一または相当部分には同一符号を付してその説明は繰り返さない。
【００５７】
＜第３の実施の形態＞
本実施の形態は、第１の実施の形態に係るテレビ受信装置に対してアナログ放送信号の受信機能を追加したテレビ受信装置に関する。
【００５８】
図５は、本発明の第３の実施の形態に係るテレビ受信装置の構成を示す機能ブロック図である。
【００５９】
図５を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、地上波デジタルチューナ部（第１のチューナ部）１Ｃと、アナログ復調回路３２と、たとえば複合型デジタル復調ＩＣであるデジタル復調部５１Ｃと、衛星デジタルチューナ部２Ｃとを備える。デジタル復調部５１Ｃは、ＯＦＤＭ／ＱＡＭ復調回路（第１のデジタル復調回路）１１Ｃと、ＰＳＫ復調回路（第２のデジタル復調回路）１２Ｃとを含む。地上波デジタルチューナ部１Ｃと、デジタル復調部５１Ｃとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、衛星デジタルチューナ部２Ｃの筐体に取り付けられる。地上波デジタルチューナ部１Ｃは、地上波アナログチューナ部３１を含む。
【００６０】
地上波デジタルチューナ部１Ｃと、アナログ復調回路３２と、衛星デジタルチューナ部１と、デジタル復調部５１Ｃとは、筐体Ｋに収納される。
【００６１】
地上波アナログチューナ部３１は、ＲＦ信号である地上波アナログ放送信号をＲＦ入力端子Ｔ５１において受信し、受信した地上波アナログ放送信号のうち、選局すべきチャネルに対応する周波数帯の信号を選択し、選択した信号をＩＦ信号に周波数変換する。
【００６２】
ここで、地上波デジタルチューナ部１Ｃは、たとえば集積回路で形成されるいわゆるシリコンチューナである。このような構成により、地上波デジタルチューナ部１Ｃのサイズを大幅に縮小することができ、テレビ受信装置の小型化および薄型化を図ることができる。
【００６３】
アナログ復調回路３２は、地上波アナログチューナ部３１から受けたＩＦ信号を復調して映像信号および音声信号を出力する。
【００６４】
このような構成により、別途アナログ放送受信用のチューナおよびアナログ復調回路を搭載することなくフロントエンド部を構成することができ、フロントエンド部の省スペース化およびテレビ受信装置の小型化を図ることが可能となる。
【００６５】
また、本発明の第３の実施の形態に係るテレビ受信装置を使用することにより、地上波デジタル放送エリア外においてもテレビ放送の受信が可能となる。
【００６６】
また、フロントエンド部にアナログ復調回路を組み込むことで、テレビ受信装置のさらなる省スペース化を図ることができる。
【００６７】
なお、本発明の第３の実施の形態に係るテレビ受信装置はアナログ復調回路３２を備える構成であるとしたが、これに限定するものではない。アナログ復調回路がテレビ受信装置の外部に配置され、地上波デジタルチューナ部１Ｃの出力を分岐してテレビ受信装置外部へ出力する構成であっても、地上波デジタル放送が視聴不可能な地域においてテレビ放送を受信することができる。
【００６８】
その他の構成および動作は本発明の第１の実施の形態に係るテレビ受信装置と同様である。したがって、本発明の第３の実施の形態に係るテレビ受信装置では、設計自由度を高めるとともに小型化を図ることができる。
【００６９】
次に、本発明の他の実施の形態について図面を用いて説明する。なお、図中同一または相当部分には同一符号を付してその説明は繰り返さない。
【００７０】
＜第４の実施の形態＞
本実施の形態は、第１の実施の形態に係るテレビ受信装置に対して地上波デジタルチューナ部においてダイレクトコンバージョンを行なう構成に変更したテレビ受信装置に関する。
【００７１】
図６は、本発明の第４の実施の形態に係るテレビ受信装置の構成を示す機能ブロック図である。
【００７２】
図６を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、地上波デジタルチューナ部（第１のチューナ部）１Ｄと、たとえば複合型デジタル復調ＩＣであるデジタル復調部５１Ｄと、衛星デジタルチューナ部２Ｄとを備える。デジタル復調部５１Ｄは、ＱＡＭ復調回路（第１のデジタル復調回路）１１Ｄと、ＰＳＫ復調回路（第２のデジタル復調回路）１２Ｄとを含む。地上波デジタルチューナ部１Ｄは、ＯＦＤＭ復調回路３３を含む。地上波デジタルチューナ部１Ｄと、デジタル復調部５１Ｄとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、衛星デジタルチューナ部２Ｄの筐体に取り付けられる。
【００７３】
地上波デジタルチューナ部１Ｄは、ＲＦ（Radio Frequency）信号である地上波デジタル放送信号をＲＦ入力端子Ｔ５１において受信し、受信した地上波デジタル放送信号のうち、選局すべきチャネルに対応する周波数帯の信号を選択し、選択した信号をＩＦ信号に周波数変換する。地上波デジタルチューナ部１Ｄに含まれるＯＦＤＭ復調回路３３は、ＩＦ信号をＯＦＤＭ復調し、互いに９０度の位相差を有するＩ信号およびＱ信号の２個のベースバンド信号を生成する。
【００７４】
ＱＡＭ復調回路１１Ｄは、地上波デジタルチューナ部１Ｄから受けたＩ信号およびＱ信号をＱＡＭ復調してＴＳ信号に変換する。
【００７５】
その他の構成および動作は本発明の第１の実施の形態に係るテレビ受信装置と同様である。したがって、本発明の第４の実施の形態に係るテレビ受信装置では、設計自由度を高めるとともに小型化を図ることができる。
【００７６】
次に、本発明の他の実施の形態について図面を用いて説明する。なお、図中同一または相当部分には同一符号を付してその説明は繰り返さない。
【００７７】
＜第５の実施の形態＞
本実施の形態は、２系統とも地上波デジタル放送信号を処理する構成としたテレビ受信装置に関する。
【００７８】
図７は、本発明の第５の実施の形態に係るテレビ受信装置の構成を示す機能ブロック図である。
【００７９】
図７を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、地上波デジタルチューナ部（第１のチューナ部）１Ｅと、たとえば複合型デジタル復調ＩＣであるデジタル復調部５１Ｅと、地上波デジタルチューナ部２Ｅとを備える。デジタル復調部５１Ｅは、ＯＦＤＭ／ＱＡＭ復調回路（第１のデジタル復調回路）１１Ｅと、ＯＦＤＭ／ＱＡＭ復調回路（第２のデジタル復調回路）１２Ｅとを含む。地上波デジタルチューナ部１Ｅと、デジタル復調部５１Ｅとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、地上波デジタルチューナ部２Ｅの筐体に取り付けられる。
【００８０】
地上波デジタルチューナ部２Ｅは、ＲＦ（Radio Frequency）信号である地上波デジタル放送信号をＲＦ入力端子Ｔ５２において受信し、受信した地上波デジタル放送信号のうち、選局すべきチャネルに対応する周波数帯の信号を選択し、選択した信号をＩＦ信号に周波数変換する。地上波デジタルチューナ部２Ｅから出力されたＩＦ信号は、入力端子Ｔ１に入力される。
【００８１】
ＯＦＤＭ／ＱＡＭ復調回路１２Ｅは、入力端子Ｔ１に入力された地上波デジタルチューナ部２ＥからのＩ信号およびＱ信号をＱＰＳＫ(Phase Sift Keying)復調または８ＰＳＫ復調してＴＳ信号に変換する。
【００８２】
したがって、本発明の第５の実施の形態に係るテレビ受信装置では、２画面表示機能、裏番組録画対応機能、および移動体通信等で用いられるダイバーシティ受信機能等の応用機能に対応することができる。
【００８３】
その他の構成および動作は本発明の第１の実施の形態に係るテレビ受信装置と同様である。したがって、本発明の第５の実施の形態に係るテレビ受信装置では、設計自由度を高めるとともに小型化を図ることができる。
【００８４】
次に、本発明の他の実施の形態について図面を用いて説明する。なお、図中同一または相当部分には同一符号を付してその説明は繰り返さない。
【００８５】
＜第６の実施の形態＞
本実施の形態は、２系統とも衛星デジタル放送信号を処理する構成としたテレビ受信装置に関する。
【００８６】
図８は、本発明の第６の実施の形態に係るテレビ受信装置の構成を示す機能ブロック図である。
【００８７】
図８を参照して、テレビ受信装置１００は、筐体Ｋと、入力端子（第１の入力端子）Ｔ１と、ＲＦ入力端子Ｔ５１およびＴ５２と、ＲＦ出力端子Ｔ６１およびＴ６２と、衛星デジタルチューナ部（第１のチューナ部）１Ｆと、たとえば複合型デジタル復調ＩＣであるデジタル復調部５１Ｆと、衛星デジタルチューナ部２Ｆとを備える。デジタル復調部５１Ｆは、ＰＳＫ復調回路（第１のデジタル復調回路）１１Ｆと、ＰＳＫ復調回路（第２のデジタル復調回路）１２Ｆとを含む。衛星デジタルチューナ部１Ｆと、デジタル復調部５１Ｆとは、筐体Ｋに収納される。入力端子Ｔ１と、ＲＦ入力端子Ｔ５１と、ＲＦ出力端子Ｔ６１とは、筐体Ｋに取り付けられる。ＲＦ入力端子Ｔ５２と、ＲＦ出力端子Ｔ６２とは、衛星デジタルチューナ部２Ｆの筐体に取り付けられる。
【００８８】
衛星デジタルチューナ部１Ｆは、ＲＦ信号である衛星デジタル放送信号をＲＦ入力端子Ｔ５１において受信し、受信した衛星デジタル放送信号のうち、選局すべきチャネルに対応する周波数帯の信号を選択する。また、衛星デジタルチューナ部１Ｆに含まれる図示しないＩ／Ｑ直交検波器は、選択された信号を互いに９０度の位相差を有するＩ信号およびＱ信号の２個のベースバンド信号にダイレクトコンバート（周波数変換）する。
【００８９】
ＰＳＫ復調回路１１Ｆは、衛星デジタルチューナ部１Ｆから受けたＩ信号およびＱ信号をＱＰＳＫ(Phase Sift Keying)復調または８ＰＳＫ復調してＴＳ信号に変換する。
【００９０】
したがって、本発明の第６の実施の形態に係るテレビ受信装置では、２画面表示機能、裏番組録画対応機能、および移動体通信等で用いられるダイバーシティ受信機能等の応用機能に対応することができる。
【００９１】
その他の構成および動作は本発明の第１の実施の形態に係るテレビ受信装置と同様である。したがって、本発明の第６の実施の形態に係るテレビ受信装置では、設計自由度を高めるとともに小型化を図ることができる。
【００９２】
次に、本発明の他の実施の形態について図面を用いて説明する。なお、図中同一または相当部分には同一符号を付してその説明は繰り返さない。
【００９３】
＜第７の実施の形態＞
本実施の形態は、第１の実施の形態に係るテレビ受信装置に対して、デジタル放送信号を処理する系統を２系統追加したテレビ受信装置に関する。
【００９４】
図９は、本発明の第７の実施の形態に係るテレビ受信装置の構成を示す機能ブロック図である。
【００９５】
図９を参照して、テレビ受信装置１００は、筐体Ｋと、入力端子（第１〜第３の入力端子）Ｔ１〜Ｔ３と、ＲＦ入力端子Ｔ５１〜Ｔ５４と、地上波デジタルチューナ部（第１のチューナ部）１Ｇと、たとえば複合型デジタル復調ＩＣであるデジタル復調部５１Ｇと、地上波デジタルチューナ部２Ｇと、衛星デジタルチューナ部３Ｇおよび４Ｇと、バックエンド部であるＭＰＥＧデコーダ３４とを備える。デジタル復調部５１Ｇは、ＯＦＤＭ／ＱＡＭ復調回路（第１および第２のデジタル復調回路）１１Ｇおよび１２Ｇと、ＰＳＫ復調回路（第３および第４のデジタル復調回路）１３Ｇおよび１４Ｇとを含む。地上波デジタルチューナ部１Ｇと、デジタル復調部５１Ｇとは、筐体Ｋに収納される。入力端子Ｔ１〜Ｔ３と、ＲＦ入力端子Ｔ５１とは、筐体Ｋに取り付けられる。ＲＦ入力端子Ｔ５２〜Ｔ５４は、地上波デジタルチューナ部２Ｇ、衛星デジタルチューナ部３Ｇおよび４Ｇの筐体にそれぞれ取り付けられる。
【００９６】
地上波デジタルチューナ部２Ｇは、ＲＦ（Radio Frequency）信号である地上波デジタル放送信号をＲＦ入力端子Ｔ５２において受信し、受信した地上波デジタル放送信号のうち、選局すべきチャネルに対応する周波数帯の信号を選択し、選択した信号をＩＦ信号に周波数変換する。地上波デジタルチューナ部２Ｇから出力されたＩＦ信号は、入力端子Ｔ１に入力される。
【００９７】
ＯＦＤＭ／ＱＡＭ復調回路１２Ｇは、入力端子Ｔ１に入力された地上波デジタルチューナ部２Ｇから受けたＩＦ信号をＯＦＤＭ復調およびＱＡＭ復調してＴＳ信号に変換する。
【００９８】
衛星デジタルチューナ部３Ｇおよび４Ｇは、ＲＦ信号である衛星デジタル放送信号をＲＦ入力端子Ｔ５３およびＴ５４においてそれぞれ受信し、受信した衛星デジタル放送信号のうち、選局すべきチャネルに対応する周波数帯の信号を選択する。また、衛星デジタルチューナ部３Ｇおよび４Ｇに含まれる図示しないＩ／Ｑ直交検波器は、選択された信号を互いに９０度の位相差を有するＩ信号およびＱ信号の２個のベースバンド信号にダイレクトコンバート（周波数変換）する。衛星デジタルチューナ部３Ｇおよび４Ｇから出力された２組のＩ信号およびＱ信号は、それぞれ入力端子Ｔ２およびＴ３に入力される。
【００９９】
ＰＳＫ復調回路１３Ｇおよび１４Ｇは、入力端子Ｔ２およびＴ３に入力された衛星デジタルチューナ部３Ｇおよび４Ｇからの２組のＩ信号およびＱ信号をそれぞれＱＰＳＫ(Phase Sift Keying)復調または８ＰＳＫ復調してＴＳ信号に変換する。
【０１００】
ＭＰＥＧデコーダ３４は、ＯＦＤＭ／ＱＡＭ復調回路１１Ｇおよび１２ＧならびにＰＳＫ復調回路１３Ｇおよび１４Ｇから受けたＴＳ信号をＭＰＥＧ復号処理し、映像信号、音声信号およびデータを出力する。このような構成により、フロントエンド部およびバックエンド部を一体化することができ、テレビ受信装置の開発期間および開発コストの低減を図ることができる。
【０１０１】
地上波デジタルチューナ部１Ｇおよび２Ｇと、デジタル復調部５１Ｇと、衛星デジタルチューナ部３Ｇおよび４Ｇには、図示しない装置から電源が供給され、また、バスを介して制御信号等が入出力される。
【０１０２】
したがって、本発明の第７の実施の形態に係るテレビ受信装置では、地上波デジタル放送および衛星デジタル放送それぞれについて、２画面表示機能、裏番組録画対応機能、および移動体通信等で用いられるダイバーシティ受信機能等の応用機能に対応することができる。
【０１０３】
次に、本発明の他の実施の形態について図面を用いて説明する。なお、図中同一または相当部分には同一符号を付してその説明は繰り返さない。
【０１０４】
＜第８の実施の形態＞
本実施の形態は、第１の実施の形態に係るテレビ受信装置に対して、デジタル放送信号を処理する系統を２系統追加したテレビ受信装置に関する。
【０１０５】
図１０は、本発明の第８の実施の形態に係るテレビ受信装置の構成を示す機能ブロック図である。
【０１０６】
図１０を参照して、テレビ受信装置１００は、筐体Ｋと、入力端子（第１〜第３の入力端子）Ｔ１〜Ｔ３と、ＲＦ入力端子Ｔ５１〜Ｔ５４と、衛星デジタルチューナ部（第１のチューナ部）１Ｈと、たとえば複合型デジタル復調ＩＣであるデジタル復調部５１Ｈと、衛星デジタルチューナ部２Ｈと、地上波デジタルチューナ部３Ｈおよび４Ｈと、バックエンド部であるＭＰＥＧデコーダ３４とを備える。デジタル復調部５１Ｈは、ＰＳＫ復調回路（第１および第２のデジタル復調回路）１１Ｈおよび１２Ｈと、ＯＦＤＭ／ＱＡＭ復調回路（第３および第４のデジタル復調回路）１３Ｈおよび１４Ｈとを含む。地上波デジタルチューナ部１Ｈと、デジタル復調部５１Ｈとは、筐体Ｋに収納される。入力端子Ｔ１〜Ｔ３と、ＲＦ入力端子Ｔ５１とは、筐体Ｋに取り付けられる。ＲＦ入力端子Ｔ５２〜Ｔ５４は、衛星デジタルチューナ部２Ｈ、地上波デジタルチューナ部３Ｈおよび４Ｈの筐体にそれぞれ取り付けられる。
【０１０７】
衛星デジタルチューナ部１Ｈは、ＲＦ信号である衛星デジタル放送信号をＲＦ入力端子Ｔ５１において受信し、受信した衛星デジタル放送信号のうち、選局すべきチャネルに対応する周波数帯の信号を選択する。また、衛星デジタルチューナ部１Ｈに含まれる図示しないＩ／Ｑ直交検波器は、選択された信号を互いに９０度の位相差を有するＩ信号およびＱ信号の２個のベースバンド信号にダイレクトコンバート（周波数変換）する。
【０１０８】
ＰＳＫ復調回路１１Ｈは、衛星デジタルチューナ部１Ｈから受けたＩ信号およびＱ信号をＱＰＳＫ(Phase Sift Keying)復調または８ＰＳＫ復調してＴＳ信号に変換する。
【０１０９】
衛星デジタルチューナ部２Ｈは、ＲＦ信号である衛星デジタル放送信号をＲＦ入力端子Ｔ５２においてそれぞれ受信し、受信した衛星デジタル放送信号のうち、選局すべきチャネルに対応する周波数帯の信号を選択する。また、衛星デジタルチューナ部２Ｈに含まれる図示しないＩ／Ｑ直交検波器は、選択された信号を互いに９０度の位相差を有するＩ信号およびＱ信号の２個のベースバンド信号にダイレクトコンバート（周波数変換）する。衛星デジタルチューナ部２Ｈから出力された２組のＩ信号およびＱ信号は、入力端子Ｔ１に入力される。
【０１１０】
ＰＳＫ復調回路１２Ｈは、入力端子Ｔ１に入力された衛星デジタルチューナ部２ＨからのＩ信号およびＱ信号をそれぞれＱＰＳＫ(Phase Sift Keying)復調または８ＰＳＫ復調してＴＳ信号に変換する。
【０１１１】
地上波デジタルチューナ部３Ｈおよび４Ｈは、ＲＦ（Radio Frequency）信号である地上波デジタル放送信号をＲＦ入力端子Ｔ５３およびＴ５４においてそれぞれ受信し、受信した地上波デジタル放送信号のうち、選局すべきチャネルに対応する周波数帯の信号を選択し、選択した信号をＩＦ信号に周波数変換する。地上波デジタルチューナ部３Ｈおよび４Ｈから出力されたＩＦ信号は、それぞれ入力端子Ｔ２およびＴ３に入力される。
【０１１２】
ＯＦＤＭ／ＱＡＭ復調回路１３Ｈおよび１４Ｈは、入力端子Ｔ２およびＴ３に入力された地上波デジタルチューナ部３Ｈおよび４Ｈから受けたＩＦ信号をＯＦＤＭ復調およびＱＡＭ復調してＴＳ信号にそれぞれ変換する。
【０１１３】
ＭＰＥＧデコーダ３４は、ＰＳＫ復調回路１１Ｈおよび１２ＨならびにＯＦＤＭ／ＱＡＭ復調回路１３Ｈおよび１４Ｈから受けたＴＳ信号をＭＰＥＧ復号処理し、映像信号、音声信号およびデータを出力する。このような構成により、フロントエンド部およびバックエンド部を一体化することができ、テレビ受信装置の開発期間および開発コストの低減を図ることができる。
【０１１４】
したがって、本発明の第７の実施の形態に係るテレビ受信装置では、地上波デジタル放送および衛星デジタル放送それぞれについて、２画面表示機能、裏番組録画対応機能、および移動体通信等で用いられるダイバーシティ受信機能等の応用機能に対応することができる。
【０１１５】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【０１１６】
【図１】本発明の第１の実施の形態に係るテレビ受信装置の構成を示す機能ブロック図である。
【図２】地上波デジタル放送信号および衛星デジタル放送信号をスルー出力するためのＲＦ出力端子が設けられた複合フロントエンド部がテレビ受信装置の基板に縦置きされた状態を示す外観図である。
【図３】本発明の第１の実施の形態に係るテレビ受信装置の外観図である。
【図４】本発明の第２の実施の形態に係るテレビ受信装置の構成を示す機能ブロック図である。
【図５】本発明の第３の実施の形態に係るテレビ受信装置の構成を示す機能ブロック図である。
【図６】本発明の第４の実施の形態に係るテレビ受信装置の構成を示す機能ブロック図である。
【図７】本発明の第５の実施の形態に係るテレビ受信装置の構成を示す機能ブロック図である。
【図８】本発明の第６の実施の形態に係るテレビ受信装置の構成を示す機能ブロック図である。
【図９】本発明の第７の実施の形態に係るテレビ受信装置の構成を示す機能ブロック図である。
【図１０】本発明の第８の実施の形態に係るテレビ受信装置の構成を示す機能ブロック図である。
【符号の説明】
【０１１７】
Ｋ  筐体、Ｔ１〜Ｔ３  入力端子（第１〜第３の入力端子）、Ｔ５１〜Ｔ５４  ＲＦ入力端子、Ｔ６１，Ｔ６２  ＲＦ出力端子、１Ａ，１Ｃ，１Ｄ，１Ｅ，１Ｇ  地上波デジタルチューナ部（第１のチューナ部）、２Ａ  衛星デジタルチューナ部（第２のチューナ部）、１Ｂ，１Ｆ  衛星デジタルチューナ部（第１のチューナ部）、２Ｃ，２Ｄ，２Ｆ，２Ｈ，３Ｇ，４Ｇ  衛星デジタルチューナ部、２Ｂ，２Ｅ，２Ｇ，３Ｈ，４Ｈ  地上波デジタルチューナ部、１１Ａ，１１Ｃ，１１Ｅ，１１Ｇ  ＯＦＤＭ／ＱＡＭ復調回路（第１のデジタル復調回路）、１２Ａ，１２Ｃ，１２Ｄ，１２Ｅ，１２Ｆ，１２Ｈ  ＰＳＫ復調回路（第２のデジタル復調回路）、１１Ｂ，１１Ｆ，１１Ｈ  ＰＳＫ復調回路（第１のデジタル復調回路）、１２Ｂ，１２Ｇ  ＯＦＤＭ／ＱＡＭ復調回路（第２のデジタル復調回路）、１１Ｄ  ＱＡＭ復調回路（第１のデジタル復調回路）、１３Ｇ，１４Ｇ  ＰＳＫ復調回路（第３および第４のデジタル復調回路）、１３Ｈ，１４Ｈ  ＯＦＤＭ／ＱＡＭ復調回路（第３および第４のデジタル復調回路）、５１Ａ，５１Ｂ，５１Ｃ，５１Ｄ，５１Ｅ，５１Ｆ，５１Ｇ，５１Ｈ  デジタル復調部、３１  地上波アナログチューナ部、３２  アナログ復調回路、３３  ＯＦＤＭ復調回路、３４  ＭＰＥＧデコーダ、７１  複合フロントエンド部、１００  テレビ受信装置。
【図１】
2008028603.tif 000003
【図２】
2008028603.tif 000004
【図３】
2008028603.tif 000005
【図４】
2008028603.tif 000006
【図５】
2008028603.tif 000007
【図６】
2008028603.tif 000008
【図７】
2008028603.tif 000009
【図８】
2008028603.tif 000010
【図９】
2008028603.tif 000011
【図１０】
2008028603.tif 000012